(57)【要約】【課題】設定作業が容易で、かつ、非常時の的確な情報伝達と避難誘導が図れる非常時避難誘導支援システムを得る。【解決手段】非常時に避難情報を発報する発報手段（フレキシブルＬＥＤ表示器１、音声報知装置２、避難誘導灯３）と、既設防災設備５に接続されて、当該既設防災設備５から非常時情報が入力され、前記発報手段１，２，３が発報する発報内容を当該非常時情報に基づいて決定するコントローラ６とを備えている。なお、フレキシブルＬＥＤ表示器１は、３６０度全周表示が可能なフレキシブルＬＥＤ表示器である。【選択図】図１
2005234682.tif 000002
【特許請求の範囲】
【請求項１】
非常時に避難誘導のための避難情報を発報する発報手段と、
前記避難情報のパターンが登録されている避難情報パターン格納手段と、
既設防災設備に接続されて、当該既設防災設備から非常時情報が入力され、前記発報手段が発報する避難情報を当該非常時情報に基づいて前記避難情報パターン格納手段のパターンから決定するコントローラと
を備え、
前記発報手段が前記避難情報を前記既設防災設備に連動させて発報することを特徴とする非常時避難誘導支援システム。
【請求項２】
前記発報手段は、発光素子の点灯または消灯により避難情報を表示する表示手段を備えていることを特徴とする請求項１記載の非常時避難誘導支援システム。
【請求項３】
前記表示手段は、３６０度全周表示が可能なフレキシブルＬＥＤ表示器を有していることを特徴とする請求項２に記載の非常時避難誘導支援システム。
【請求項４】
前記表示手段は、通路および壁面の少なくともいずれか一方に埋め込まれ、非常口に向けた順次移動点滅表示により、避難誘導方向を表示する１以上の避難誘導灯を有していることを特徴とする請求項２または３に記載の非常時避難誘導支援システム。
【請求項５】
前記発報手段は、避難情報を音声にて伝達する情報伝達手段を有していることを特徴とする請求項１ないし４のいずれか１項に記載の非常時避難誘導支援システム。
【請求項６】
前記発報手段の前記避難情報を書き換えるための更新指示を前記発報手段に対して無線により送信する表示内容更新手段をさらに備えたことを特徴とする請求項１ないし５のいずれか１項に記載の非常時避難誘導支援システム。
【発明の詳細な説明】
【技術分野】
【０００１】
この発明は非常時避難誘導支援システムに関し、特に、火災・地震等の非常時には災害情報やその施設の避難ルートを社員に報知し、安全に避難場所への誘導を支援する非常時避難誘導支援システムに関するものである。
【背景技術】
【０００２】
従来の避難誘導設備の一例として、広い事業所・工場・発電所構内等においては、非常事態発生の際に人々を安全な場所に誘導するための非常誘導灯を出入り口付近に設置することが義務付けられている。また、避難場所や避難ルートが掲示板等に図示され、安全意識の高揚を図っている。
【０００３】
この種の避難誘導設備においては、火災・地震等の非常時には、事前に任命された安全担当者の指示または各自の判断のもと、避難路を通って指定された場所へ避難している。
【０００４】
また、他の従来の避難誘導設備として、順次所定の時間点灯を繰り返すか、あるいは、順次所定の時間誘導音を繰り返すことにより、避難誘導を行うものがある（例えば、特許文献１参照。）。
【０００５】
【特許文献１】特開平５−１３５２８６号公報
【発明の開示】
【発明が解決しようとする課題】
【０００６】
上記の１つめの従来の避難誘導設備では、非常時に的確な情報が得られず、その結果、パニック状態に陥ることが想定され、２次災害が発生するという問題点があった。
【０００７】
また、避難誘導灯を目印に避難した場合、非常口の向こう側が火災または地震による倒壊等により避難遅れまたは２次災害が発生するという問題点があった。
【０００８】
また、避難場所や避難ルートの掲示板等への図示のみでは咄嵯の判断が的確にできず、且つ、視認性が悪く図示されている掲示板等へ近づかないと記載内容が読み取れないという問題点があった。
【０００９】
また、特許文献１に記載されている２つめの従来の避難誘導設備においては、タイマーリレーにより各誘導灯やスピーカーに対してそれぞれ誘導パターンを設定する作業が必要なため、誘導灯およびスピーカーの数や誘導パターンの数が多くなると、パターンの設定に時間がかかり、設定作業が繁雑になるという問題点があった。
【００１０】
この発明はかかる問題点を解決するためになされたものであり、設定作業が容易で、かつ、非常時の的確な情報伝達と避難誘導が図れる非常時避難誘導支援システムを得ることを目的とする。
【課題を解決するための手段】
【００１１】
この発明は、非常時に避難誘導のための避難情報を発報する発報手段と、前記避難情報のパターンが登録されている避難情報パターン格納手段と、既設防災設備に接続されて、当該既設防災設備から非常時情報が入力され、前記発報手段が発報する避難情報を当該非常時情報に基づいて前記避難情報パターン格納手段のパターンから決定するコントローラとを備え、前記発報手段が前記避難情報を前記既設防災設備に連動させて発報する非常時避難誘導支援システムである。
【発明の効果】
【００１２】
この発明は、非常時に避難誘導のための避難情報を発報する発報手段と、前記避難情報のパターンが登録されている避難情報パターン格納手段と、既設防災設備に接続されて、当該既設防災設備から非常時情報が入力され、前記発報手段が発報する避難情報を当該非常時情報に基づいて前記避難情報パターン格納手段のパターンから決定するコントローラとを備え、前記発報手段が前記避難情報を前記既設防災設備に連動させて発報する非常時避難誘導支援システムであるので、設定作業が容易で、かつ、非常時の的確な情報伝達と避難誘導が図れる。
【発明を実施するための最良の形態】
【００１３】
実施の形態１．
図１は、この発明の実施の形態１に係る非常時避難誘導支援システムにおけるイメージ図である。図１に示すように、実施の形態１に係る非常時避難誘導支援システムは、事業所・工場・発電所構内等の構内にある柱（Ｈ鋼等）１０に取り付けられ、発光素子の点灯または消灯により避難情報を表示する３６０度全周表示が可能なフレキシブルＬＥＤ表示器（表示手段）１と、同じく柱（Ｈ鋼等）１０に取り付けられ、避難情報を音声で報知する報知装置（情報伝達手段）２と、発光素子の点灯および／または消灯により非常口への避難誘導方向を示すための通路や壁面に埋め込まれた避難誘導灯（表示手段）３と、簡易型携帯電話機能４ａを介して遠隔操作によりフレキシブルＬＥＤ表示器１の表示内容を書き換えるためのパーソナルコンピュータ（表示内容更新手段）４とを備えている。これらのフレキシブルＬＥＤ表示器１、報知装置２、および、避難誘導灯３から構成される発報手段による表示・音声データは、火災・地震等の非常時に既設防災設備５と連動したコントローラ（表示内容更新手段）６の制御により自動的に決定され発報される。また、フレキシブルＬＥＤ表示器１とパーソナルコンピュータ４とは簡易型携帯電話機能４ａを介して接続されているので、当該パーソナルコンピュータ４により、３６０度全周表示が可能なフレキシブルＬＥＤ表示器１の表示データを任意に書き換えることが可能である。なお、図１の例では、当該表示データとして、「避難下さい。」等のメッセージが表示されている。なお、簡易型携帯電話機能４ａとしては、表示データを書き換えるための送信動作が行えるもので良いため、簡易型のもので十分である。
【００１４】
また、フレキシブルＬＥＤ表示器１および避難誘導灯３をＬＥＤ化することで、フレキシブルＬＥＤ表示器１および避難誘導灯３は自ら発光するため、明るい場所、暗い場所を問わず視認性の向上を図ることが可能となる。
【００１５】
図２は、この実施の形態１の非常時避難誘導支援システムの構成を示す回路ブロック図であり、図２において図１と同一または相当の部分については同一符号を付して、ここではその説明を省略する。図２に示すように、コントローラ６には、ＵＰＳ（以下、無停電電源装置という）２１が接続されている。また、コントローラ６内には、例えば電源供給路に過電流が流れるとその回路を遮断する過電流継電器（電源供給手段）２２と、フレキシブルＬＥＤ表示器１へ表示データを送信するための送信器２３と、音声報知装置２から発声されるあらかじめパターン化された音声データが登録されている音声発生器２５と、あらかじめパターン化された避難誘導灯３による非常口に向けた順次移動点滅表示データが登録されている点滅制御回路２６とが設けられている。また、フレキシブルＬＥＤ表示器１内には、コントローラ６の送信器２３からの表示データを受信するための受信器２４が設けられている。なお、フレキシブルＬＥＤ表示器１により表示される表示データについても、あらかじめパターン化してコントローラ６に登録しておくようにする。このように、音声発生器２５、点滅制御回路２６およびコントローラ６は、避難情報のパターンを登録している避難情報パターン格納手段を構成している。
【００１６】
次に動作について説明する。図３は、この実施の形態１の非常時避難誘導支援システムにおいて、フレキシブルＬＥＤ表示器１、報知装置２および避難誘導灯３についての各データをコントローラ６から自動決定して、火災・地震等の非常時に避難情報を自動表示するときの動作を示すフローチャートである。コントローラ６は、コントローラ６と連動された既設防災設備５から火災・地震等の各種非常時情報を受信し、あらかじめパターン化され登録されている表示データ・音声データ・順次移動点滅表示データと照合し（ステップＳＴ１）、受信した各種非常時情報に対応した表示データ・音声データ・順次移動点滅表示データを検索して、当該表示データ・音声データ・順次移動点滅表示データを、フレキシブルＬＥＤ表示器１、音声報知装置２および避難誘導灯３によりそれぞれ自動発報する（ステップＳＴ２）。なお、コントローラ６、音声発生器２５および点滅制御回路２６内には、各種非常時情報と、上述した予めパターン化された表示データ、音声データおよび順次移動点滅表示データとが、それぞれ、対応付けられた対応表（対応テーブル）が格納されているものとする。なお、これらの対応付けについては、例えば、異常発生地域に従って、どこで異常が発生した場合にはどこから避難するというように決定する、もしくは、異常の種類に従って、地震発生の場合にはどのようにして避難し、火災の場合にはどのように避難するか等、過去の事例等を参考にして種々の場合を考慮して決定するようにすればよい。
【００１７】
図４は、この実施の形態１の非常時避難誘導支援システムにおいて、フレキシブルＬＥＤ表示器１に対して簡易型携帯電話機能４ａを介して接続されるパーソナルコンピュータ４から、フレキシブルＬＥＤ表示器１の表示データの入力・設定を行うときの動作を示すフローチャートである。図５は、パーソナルコンピュータ４のディスプレイに表示された設定画面である。まず、この非常時避難誘導支援システムのオペレータは、パーソナルコンピュータ４のディスプレイに表示された図５に示す設定画面により各種入力を行う。具体的には、図４の流れ図に示すように、オペレータにより表示データについての入力操作が行われたか否かを判定し（ステップＳＴ２１）、表示データについての入力操作が行われたのであれば、図５に示す表示データ入カエリア４１に前記オペレータが入力した表示データについての内容文を取り込む（ステップＳＴ２２）。
【００１８】
一方、ステップＳＴ２１の判定において表示データについての入力操作が行われていないと判断すると、キャンセルボタン４３に対しオペレータが行ったキャンセル操作に対しキャンセル処理を実行する（ステップＳＴ２４）。また、表示データが入力されていると、続いて表示色変更について判定する（ステップＳＴ２３）。この表示色変更についての判定は、オペレータが図５に示す画面の表示色設定エリア４４に対して行った表示色についての設定操作から判定する。そして、この判定結果が表示色変更であれば、その変更された表示色により表示色の設定を行う（ステップＳＴ２５）。さらに、オペレータが登録ボタン４６に対して行う入力完了操作をもとに入力完了処理を実行し（ステップＳＴ２６）、次いでオペレータが送信ボタン４５に対して行う送信操作をもとに送信処理を実行する（ステップＳＴ２７）。この送信処理は、簡易型携帯電話機能４ａにより、フレキシブルＬＥＤ表示器１に対する無線通信として行われる。また、当該送信処理では、リトライ処理（再ダイヤル）を３回行ってもデータの送信が実行されない場合には、図５に示す画面上にエラーメッセージを表示する。
【００１９】
これにより、フレキシブルＬＥＤ表示器１は、コントローラ６の送信器２３から送信されてくるパターン化された表示データを受信器２４により受信して表示するが、パーソナルコンピュータ４により表示データの入力・設定があった場合には、簡易型携帯電話機能４ａにより入力および設定された当該表示データがフレキシブルＬＥＤ表示器１に送信されてくるので、それを受信して表示するようにする。
【００２０】
以上のように、この実施の形態１によれば、火災・地震等の非常時に既設防災設備５と連動しているコントローラ６から避難情報の自動発報を行うことができ、非常時の的確な情報伝達と避難誘導を行うことができ、パニック等の発生を防止して２次災害の発生を未然に防ぐことができる。
【００２１】
また、３６０度全周表示が可能なフレキシブルＬＥＤ表示器１に対して簡易型携帯電話機能４ａを介して接続されているパーソナルコンピュータ４から、フレキシブルＬＥＤ表示器１に表示する表示データを任意に書き換えることができるため、表示内容の更新を離れた場所から簡単且つ容易に行うことが可能となり、前記更新作業の効率化と情報の周知徹底が図れるとともに、適切なメッセージを適宜表示することができる。
【００２２】
また、フレキシブルＬＥＤ表示器１および通路や壁面に埋め込んだ避難誘導灯３をＬＥＤ化することで、フレキシブルＬＥＤ表示器１および通路や壁面に埋め込んだ避難誘導灯３が自ら発光するように構成できるため、明るい場所、暗い場所を問わず視認性の向上を図ることができ、安全性の向上を図ることができる。
【００２３】
また、避難情報を音声報知装置２から音声にて報知するようにしたので、より迅速かつ的確に情報伝達を行うことができる。
【００２４】
さらに、非常時の構内停電時にも、通路や壁面に埋め込んだ避難誘導灯３による非常口に向けた順次移動点滅表示により、避難誘導方向の支援が図れる。また、予めパターン化された順次移動点滅表示データにより避難誘導灯３を動作させるようにしたため、各発光ユニットに対してそれぞれ誘導パターンを設定する作業が不要となり、設定作業が容易になるという効果を奏する。
【００２５】
また、既設防災設備５からの非常時情報が入力されて、予めパターン化された表示・音声データの中から当該非常時情報に対応するものを検索して、発報するようにしたので、容易に的確な発報内容を決定することができる。
【００２６】
なお、上述の説明においては、パーソナルコンピュータ４からフレキシブルＬＥＤ表示器１の表示データを書き換える例について説明したが、その場合に限らず、音声報知装置２や避難誘導灯３から発報される発報内容についてもパーソナルコンピュータ４から変更可能なように構成してもよい。
【００２７】
また、火災・地震等の非常時に商用電源の停電が想定されるため、事業所・工場・発電所構内等に備えられている非常用電源を使用するようにすれば、安定した電源確保が実現できる。
【００２８】
また、非常用電源を使用している時に、瞬停が発生した場合を考慮し、図２に示す無停電電源装置２１を設置することにより瞬停防止を図ることができる。
【００２９】
実施の形態２．
図６は、この発明の実施の形態２に係る非常時避難誘導支援システムを示したものである。実施の形態２は、実施の形態１の非常時避難誘導支援システムにおける応用例である。この実施の形態２においては、図６に示すように、広い事業所・工場・発電所構内等に、フレキシブルＬＥＤ表示器１を備えたポール３２を各ポイントに設置し、火災発生時はフレキシブルＬＥＤ表示器１に火災地点の方向を矢印で表示し、目的地まで消防車の誘導を支援する。なお、フレキシブルＬＥＤ表示器１の表示例を挙げれば、例えば、「地震発生・震度５強・避難場所→」というように表示する。
【００３０】
また、街中にあるポール（電柱または街路灯）３２にフレキシブルＬＥＤ表示器１を取り付け、地震等の非常時には防災設備と連動して、避難場所までの誘導を支援する。この際、インフラが寸断されることが想定されるため、電源供給手段には、例えば、ソーラーパネル３３や風車３４等のハイブリッド電源（太陽光・風力）を用い、情報伝達手段には、簡易型携帯電話機能４ａ（図１参照）等による無線を採用することで、安定した電源確保と信頼性の向上を図ることができる。
【００３１】
なお、上記の実施の形態１および２においては、柱またはポールにフレキシブルＬＥＤ表示器１を取り付ける例について説明したが、その場合に限らず、柱やポールがない場所では、表示ユニットをフレキシブルＬＥＤ表示器１として天井から吊り下げるようにしてもよい。
【図面の簡単な説明】
【００３２】
【図１】この発明の実施の形態１の非常時避難誘導支援システムにおける構成のイメージを示す説明図である。
【図２】この発明の実施の形態１の非常時避難誘導支援システムの構成を示す回路ブロック図である。
【図３】この発明の実施の形態１の非常時避難誘導支援システムにおいて非常時自動発報を行うときの動作を示すフローチャートである。
【図４】この発明の実施の形態１の非常時避難誘導支援システムにおいて表示データについて内容文の入力・設定を行うときの動作を示すフローチャートである。
【図５】この発明の実施の形態１の非常時避難誘導支援システムにおける表示データを更新するための設定画面である。
【図６】この発明の実施の形態２の非常時避難誘導支援システムにおける構成のイメージを示す説明図である。
【符号の説明】
【００３３】
１  フレキシブルＬＥＤ表示器（表示手段）、２  音声報知装置（惰報伝達手段）、３  避難誘導灯（表示手段）、４  パーソナルコンピュータ（表示内容更新手段）、４ａ  簡易型携帯電話機能、５  既設防災設備、６  コントローラ、２１  無停電電源装置、２２  過電流継電器（電源供給手段）、２３  送信器、２４  受信器、２５  音声発生器、２６  点滅制御回路、３２  ポール、３３  ソーラパネル、３４  風車、４１  表示データ入力エリア、４３  キャンセルボタン、４４  表示色設定エリア、４５  送信ボタン、４６  登録ボタン。
【図１】
2005234682.tif 000003
【図２】
2005234682.tif 000004
【図３】
2005234682.tif 000005
【図４】
2005234682.tif 000006
【図５】
2005234682.tif 000007
【図６】
2005234682.tif 000008